Podtech/llm-jp-corpus-v4-ja_patent huggingface dataset:
【手続補正書】
【提出日】平成22年11月2日(2010.11.2)
【手続補正１】
【補正対象書類名】特許請求の範囲
【補正対象項目名】全文
【補正方法】変更
【補正の内容】
【特許請求の範囲】
【請求項１】
プリンタ本体に取り付けた開閉蓋と、
記録紙を搬送する搬送ローラ対と、
前記開閉蓋と前記プリンタ本体との間に取り付けた開閉蓋付勢部材と、を有し、
前記開閉蓋付勢部材は、
前記開閉蓋が開いた時には、前記開閉蓋を閉じる方向に付勢し、
前記開閉蓋が閉じた時には、前記ローラ対を押える方向に付勢することを特徴とするプリンタ。
【請求項２】
請求項１に記載のプリンタにおいて、
前記搬送ローラ対は、前記プリンタ本体に搭載されている本体側ローラ、および、前記開閉蓋に搭載されている蓋側ローラからなり、
前記開閉蓋が開いた時には、前記蓋側ローラが前記本体側ローラから離れ、
前記開閉蓋が閉じた時には、前記開閉蓋付勢部材によって、前記蓋側ローラが前記本体側ローラに押し付けられることを特徴とするプリンタ。
【請求項３】
請求項２に記載のプリンタにおいて、
前記蓋側ローラを支持しているローラ支持レバーを有し、
当該ローラ支持レバーは、前記本体側ローラに対し移動可能に、前記開閉蓋に取り付けられていることを特徴とするプリンタ。
【請求項４】
請求項２に記載のプリンタにおいて、
前記蓋側ローラを支持しているローラ支持レバーを有し、
前記ローラ支持レバーは、回転中心軸を中心として回転可能に、前記開閉蓋に取り付けられており、
当該ローラ支持レバーは、前記開閉蓋が開くと、当該開閉蓋に重なるような退避位置に回転し、前記開閉蓋が閉じると、前記蓋側ローラを前記本体側ローラに押し付ける方向に突出した突出位置に回転することを特徴とするプリンタ。
【請求項５】
プリンタ本体に取り付けた開閉蓋と、
記録紙を巻いたロール紙を収納するためのロール紙収納部と、
前記記録紙を搬送する搬送ローラ対と、
前記開閉蓋と前記プリンタ本体との間に取り付けた開閉蓋付勢部材とを有し、
前記開閉蓋付勢部材は、
前記開閉蓋が開いた時には、前記開閉蓋を閉じる方向に付勢し、
前記開閉蓋が閉じた時には、前記ローラ対を押える方向に付勢し、前記開閉蓋は、その下端部の開閉中心軸を中心として、起立状態の閉じ位置と倒れ状態の開き位置の間を回転し、前記ロール紙収納部を開閉することを特徴とするプリンタ。
【請求項６】
請求項５に記載のプリンタにおいて、
前記搬送ローラ対は、前記プリンタ本体に搭載されている本体側ローラ、および、前記開閉蓋に搭載されている蓋側ローラからなり、
前記開閉蓋が開いた時には、前記蓋側ローラが前記本体側ローラから離れ、
前記開閉蓋が閉じた時には、前記開閉蓋付勢部材によって、前記蓋側ローラが前記本体側ローラに押し付けられることを特徴とするプリンタ。
【請求項７】
請求項６に記載のプリンタにおいて、
前記プリンタ本体における前記ロール紙収納部を挟んで、閉じた時の前記開閉蓋の位置とは反対側の位置に、前記本体側ローラを配置し、
前記ロール紙収納部に収納された前記ロール紙から繰り出される前記記録紙は、前記本体側ローラおよび前記蓋側ローラの間を通って前記開閉蓋側に設けられた排出口へ向かって搬送されることを特徴とするプリンタ。
【請求項８】
請求項６に記載のプリンタにおいて、
前記開閉蓋に形成したレバー支持部に、移動可能にローラ支持レバーを取り付け、
当該ローラ支持レバーに前記蓋側ローラが支持されていることを特徴とするプリンタ。
【請求項９】
請求項８に記載のプリンタにおいて、
前記レバー支持部は長円形の軸孔であり、
前記ロール支持レバーには、前記軸孔に回転および移動可能に挿入された支軸が取り付けられており、
前記開閉蓋付勢部材は、前記プリンタ本体と、前記支軸との間に、取り付けられていることを特徴とするプリンタ。
【請求項１０】
請求項８に記載のプリンタにおいて、
前記ローラ支持レバーを前記開閉蓋の側に付勢しているレバー付勢部材と、
前記プリンタ本体に形成したレバー案内部と、を有し、
前記開閉蓋を開くと、前記ローラ支持レバーは前記レバー付勢部材の付勢力によって前記開閉蓋に重なった前記退避位置に移動し、
前記開閉蓋を閉じると前記ローラ支持レバーは前記レバー案内部に案内されて前記突出位置に移動することを特徴とするプリンタ。
【請求項１１】
請求項８に記載のプリンタにおいて、
前記ローラ支持レバーは、前記開閉蓋を閉じた時、前記ロール紙収納部と前記開閉蓋の間を仕切る板状部分を備えていることを特徴とするプリンタ。
【手続補正２】
【補正対象書類名】明細書
【補正対象項目名】０００５
【補正方法】変更
【補正の内容】
【０００５】
上記の課題を解決するために、本発明のプリンタは、
プリンタ本体に取り付けた開閉蓋と、
記録紙を搬送する搬送ローラ対と、
前記開閉蓋と前記プリンタ本体との間に取り付けた開閉蓋付勢部材とを有し、
前記開閉蓋付勢部材は、
前記開閉蓋が開いた時には、前記開閉蓋を閉じる方向に付勢し、
前記開閉蓋が閉じた時には、前記ローラ対を押える方向に付勢することを特徴とする。
【手続補正３】
【補正対象書類名】明細書
【補正対象項目名】０００７
【補正方法】変更
【補正の内容】
【０００７】
ここで、前記搬送ローラ対が、前記プリンタ本体に搭載されている本体側ローラ、および、前記開閉蓋に搭載されている蓋側ローラからなる場合には、前記開閉蓋が開いた時には、前記蓋側ローラが前記本体側ローラから離れ、前記開閉婦等が閉じた時には、前記開閉蓋付勢部材によって、前記蓋側ローラを前記本体側ローラに押し付けるようにすればよい。
【手続補正４】
【補正対象書類名】明細書
【補正対象項目名】００３０
【補正方法】変更
【補正の内容】
【００３０】
ここで、開閉する開閉蓋３と、固定側のプリンタ本体フレーム１１の側板１６との間には、引張りコイルばねからなる緩衝ばね２７（開閉蓋付勢部材）が架け渡され、開閉蓋３を閉じる方向へ付勢している。この緩衝ばね２７によって、開閉蓋３を閉じ位置３Ａに係止しているロック部材９を外して開閉蓋３を開放可能にした際に、勢い良く開閉蓋３が前方に倒れることが防止される。
【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
液体を蓄える供給流路と、
前記供給流路と連通し、前記液体が流入する圧力室と、
前記圧力室と、前記供給流路とを覆う蓋部と、を備え、
前記圧力室の少なくとも一部が角Ｒの形状を含み、
前記蓋部の法線方向の寸法を厚さ方向とし、当該方向と直交する方向を幅方向とした場合、前記圧力室の厚さ方向の寸法、または幅方向の寸法に対して、小さい側の寸法をＬａとして、前記角Ｒの大きさがＬａ以下、且つ（１／１０）Ｌａ以上であることを特徴とする液体噴射ヘッド。
【請求項２】
液体を蓄える供給流路と、
前記供給流路と連通し、前記液体が流入する圧力室と、
前記圧力室と、前記供給流路とを覆う蓋部と、を備え、
前記供給流路の少なくとも一部が角Ｒの形状を含み、
前記供給流路の厚さ方向の寸法、または幅の小さい側の寸法に対して、小さい側の寸法をＬｂとして、前記角Ｒの大きさがＬｂ以下、且つ（１／１０）Ｌｂ以上であることを特徴とする液体噴射ヘッド。
【請求項３】
液体を蓄える供給流路と、
前記供給流路と連通し、前記液体が流入する圧力室と、
前記圧力室と、前記供給流路とを覆う蓋部と、を備え、
前記圧力室の少なくとも一部がＣ面の形状を含み、
前記蓋部の法線方向の寸法を厚さ方向とし、当該方向と直交する方向を幅方向とした場合、前記蓋部の法線方向に対して３０°以上６０°以下の角度θａを前記Ｃ面が有すると共に、前記圧力室の厚さ方向の寸法、または幅方向の寸法に対して小さい側の寸法をＬｃとして、前記Ｃ面の寸法が（１／ｃｏｓθａ）Ｌｃ以下、且つ（１／１０）Ｌｃ以上であることを特徴とする液体噴射ヘッド。
【請求項４】
液体を蓄える供給流路と、
前記供給流路と連通し、前記液体が流入する圧力室と、
前記圧力室と、前記供給流路とを覆う蓋部と、を備え、
前記供給流路はＣ面の形状を含み、
前記蓋部の法線方向に対して３０°以上６０°以下の角度θｂを前記Ｃ面が有すると共に、前記供給流路の厚さ方向の寸法、または幅方向の寸法に対して小さい側の寸法をＬｄとして、前記Ｃ面の寸法が（１／ｃｏｓθｂ）Ｌｄ以下、且つ（１／１０）Ｌｄ以上であることを特徴とする液体噴射ヘッド。
【請求項５】
請求項１乃至４のいずれか一項に記載の液体噴射ヘッドを含むことを特徴とする液体噴射装置。
【手続補正書】
【提出日】平成22年7月29日(2010.7.29)
【手続補正１】
【補正対象書類名】特許請求の範囲
【補正対象項目名】全文
【補正方法】変更
【補正の内容】
【特許請求の範囲】
【請求項１】
原紙と、バインダー及び白色顔料を含む第１の層と、白色顔料並びにガラス転移温度が５０℃以下のウレタン系樹脂及びアクリル系樹脂からなる群より選択される少なくとも一種を含む第２の層と、が順次積層されており、
前記第１の層が設けられた前記原紙の第１の層の表面におけるＪＩＳ  Ｐ８１４０に準拠した吸水度試験による接触時間１２０秒間のコッブ吸水度が２．０ｇ／ｍ２以下であって、前記第２の層の表面におけるブリストー法による接触時間０．５秒間の吸水量が２ｍＬ／ｍ２以上８ｍＬ／ｍ２以下である記録媒体。
【請求項２】
前記白色顔料の前記第２の層中における含有量は、前記第２の層の全固形分に対して、７０〜９６質量％である請求項１に記載の記録媒体。
【請求項３】
第１の層中の前記バインダーは、熱可塑性樹脂を含む請求項１又は請求項２に記載の記録媒体。
【請求項４】
前記熱可塑性樹脂が、ウレタン系樹脂及びアクリル系樹脂からなる群より選択される少なくとも一種である請求項３に記載の記録媒体。
【請求項５】
前記熱可塑性樹脂のガラス転移温度が、３０℃以上である請求項３又は請求項４に記載の記録媒体。
【請求項６】
前記アクリル系樹脂が、アクリルシリコーン樹脂である請求項１〜請求項５のいずれか１項に記載の記録媒体。
【請求項７】
前記白色顔料がカオリンである請求項１〜請求項６のいずれか１項に記載の記録媒体。
【請求項８】
原紙上に、熱可塑性樹脂粒子を含む造膜液を付与し、前記熱可塑性樹脂粒子の最低造膜温度以上の温度領域で加熱処理することにより第１の層を形成する第１の形成工程と、
前記第１の層上に、白色顔料並びにガラス転移温度が５０℃以下のウレタン系樹脂及びアクリル系樹脂からなる群より選択される少なくとも一種を含む造膜液を付与して第２の層を形成する第２の形成工程と、を有し、
請求項３〜請求項７のいずれか１項に記載の記録媒体を製造する記録媒体の製造方法。
【請求項９】
前記熱可塑性樹脂粒子が、ウレタン系樹脂ラテックス及びアクリル系樹脂ラテックスからなる群より選択される少なくとも一種である請求項８に記載の記録媒体の製造方法。
【請求項１０】
請求項１〜請求項７のいずれか１項に記載の記録媒体にインクを付与し、所定の画像データに応じてインク描画するインク描画工程と、
インク描画された前記記録媒体におけるインク溶媒を乾燥除去する乾燥除去工程と、
を有するインクジェット記録方法。
【請求項１１】
請求項１〜請求項７のいずれか１項に記載の記録媒体に、酸性物質を含む処理液を供給する処理液供給工程と、
処理液が供給された前記記録媒体にインクを付与し、所定の画像データに応じてインク描画するインク描画工程と、
インク描画された前記記録媒体におけるインク溶媒を乾燥除去する乾燥除去工程と、
を有するインクジェット記録方法。
【手続補正２】
【補正対象書類名】明細書
【補正対象項目名】００１１
【補正方法】変更
【補正の内容】
【００１１】
即ち、本発明は、
＜１＞  原紙と、バインダー及び白色顔料を含む第１の層と、白色顔料並びにガラス転移温度が５０℃以下のウレタン系樹脂及びアクリル系樹脂からなる群より選択される少なくとも一種を含む第２の層と、が順次積層されており、
前記第１の層が設けられた前記原紙の第１の層の表面におけるＪＩＳ  Ｐ８１４０に準拠した吸水度試験による接触時間１２０秒間のコッブ吸水度が２．０ｇ／ｍ２以下であって、前記第２の層の表面におけるブリストー法による接触時間０．５秒間の吸水量が２ｍＬ／ｍ２以上８ｍＬ／ｍ２以下である記録媒体である。
＜２＞  前記白色顔料の前記第２の層中における含有量は、前記第２の層の全固形分に対して、７０〜９６質量％である＜１＞に記載の記録媒体である。
【手続補正３】
【補正対象書類名】明細書
【補正対象項目名】００１２
【補正方法】変更
【補正の内容】
【００１２】
＜３＞  第１の層中の前記バインダーは、熱可塑性樹脂を含む＜１＞又は＜２＞に記載の記録媒体である。
【手続補正４】
【補正対象書類名】明細書
【補正対象項目名】００１３
【補正方法】変更
【補正の内容】
【００１３】
＜４＞  前記熱可塑性樹脂が、ウレタン系樹脂及びアクリル系樹脂からなる群より選択される少なくとも一種である＜３＞に記載の記録媒体である。
【手続補正５】
【補正対象書類名】明細書
【補正対象項目名】００１４
【補正方法】変更
【補正の内容】
【００１４】
＜５＞  前記熱可塑性樹脂のガラス転移温度が、３０℃以上である＜３＞又は＜４＞に記載の記録媒体である。
【手続補正６】
【補正対象書類名】明細書
【補正対象項目名】００１５
【補正方法】変更
【補正の内容】
【００１５】
＜６＞  前記アクリル系樹脂が、アクリルシリコーン樹脂である＜１＞〜＜５＞のいずれか１つに記載の記録媒体である。
【手続補正７】
【補正対象書類名】明細書
【補正対象項目名】００１６
【補正方法】削除
【補正の内容】
【手続補正８】
【補正対象書類名】明細書
【補正対象項目名】００１８
【補正方法】変更
【補正の内容】
【００１８】
＜８＞  原紙上に、熱可塑性樹脂粒子を含む造膜液を付与し、前記熱可塑性樹脂粒子の最低造膜温度以上の温度領域で加熱処理することにより第１の層を形成する第１の形成工程と、
前記第１の層上に、白色顔料並びにガラス転移温度が５０℃以下のウレタン系樹脂及びアクリル系樹脂からなる群より選択される少なくとも一種を含む造膜液を付与して第２の層を形成する第２の形成工程と、を有し、
＜３＞〜＜７＞のいずれか１つに記載の記録媒体を製造する記録媒体の製造方法である。
【手続補正書】
【提出日】平成22年10月22日(2010.10.22)
【手続補正１】
【補正対象書類名】特許請求の範囲
【補正対象項目名】全文
【補正方法】変更
【補正の内容】
【特許請求の範囲】
【請求項１】
遊技盤に区画形成された遊技領域に設けられ、かつ、画像表示器が取り付けられる演出装置と、
遊技者の操作によって前記遊技領域に向かって遊技球を打ち出す打球発射装置と、
前記遊技領域に設けられ、かつ、前記打球発射装置によって打ち出された遊技球が入球可能な始動入賞口と、
該始動入賞口に遊技球が入球したことに基づいて遊技の進行を制御する主制御部と、
該主制御部からのコマンドに基づいて前記演出装置の演出を制御する演出制御部と、
を備えるパチンコ遊技機であって、
前記主制御部は、少なくとも、
前記始動入賞口に遊技球が入球したことに基づいて遊技者に利益を付与するか否かを判定する当落判定制御手段と、
前記始動入賞口に入球した遊技球を前記当落判定制御手段で未だ使用しない際に、該入球した遊技球の球数を保留球の球数として記憶する始動保留数記憶制御手段と、
前記当落判定制御手段が判定した前記当落判定結果及び前記始動保留種記憶手段が記憶した前記保留球の球数を前記コマンドとして前記演出制御部に送信するコマンド送信制御手段と、
を備え、
前記演出制御部は、少なくとも、
前記主制御部からの前記コマンドを受信するコマンド受信制御手段と、
該コマンド受信制御手段が受信した前記コマンドを解析するコマンド解析制御手段と、
該コマンド解析制御手段が解析した前記コマンドに基づいて前記画像表示器の表示領域に描画する演出を決定して進行する演出決定進行制御手段と、
該演出決定進行制御手段が決定して進行する前記画像表示器の表示領域に描画される演出の一部の色合いを変更して当該画像表示器の表示領域に変色描画領域を描画する変色描画制御手段と、
該変色描画制御手段によって描画された前記変色描画領域内に、前記コマンド解析制御手段が解析した前記コマンドに基づいて前記保留球の球数を描画する保留球数描画制御手段と、
を備えていることを特徴とするパチンコ遊技機。
【請求項２】
前記保留球数描画制御手段は、前記画像表示器の表示領域に描画される演出を視認不能とする図形として前記保留球の球数を前記変色描画領域内に描画することを特徴とする請求項１に記載のパチンコ遊技機。
【請求項３】
請求項２に記載のパチンコ遊技機であって、
前記演出制御部は、さらに、
前記変色描画制御手段が描画する前記変色描画領域内に、前記保留球数描画制御手段が前記保留球の球数を描画するための領域を、当該変色描画領域と異なる態様で予め定めた個数だけ配置するように描画する保留球数用変色領域描画制御手段
を備えていることを特徴とするパチンコ遊技機。
【手続補正２】
【補正対象書類名】明細書
【補正対象項目名】００１６
【補正方法】変更
【補正の内容】
【００１６】
本発明の請求項１においては、残りの保留球の球数を把握しやすい。請求項２においては、遊技者は、保留球の球数を視認しやすく、残り保留球の球数を把握しやすくなる。請求項３においては、保留球の球数が変色描画領域内に描画される位置を遊技者に示唆することができる。
【手続補正書】
【提出日】平成22年9月30日(2010.9.30)
【手続補正１】
【補正対象書類名】特許請求の範囲
【補正対象項目名】請求項３
【補正方法】変更
【補正の内容】
【請求項３】
前記隔壁の突起の上部に、排出される巻きおしぼりを前記ベルト機構の排出端から離れる方向に案内する案内部を設けたことを特徴とする請求項２記載の巻きおしぼり製造装置。
【手続補正２】
【補正対象書類名】明細書
【補正対象項目名】０００７
【補正方法】変更
【補正の内容】
【０００７】
また、本発明の請求項３に記載の巻きおしぼり製造装置は、請求項２において、前記隔壁の突起の上部に、排出される巻きおしぼりを前記ベルト機構の排出端から離れる方向に案内する案内部を設けたものである。
【手続補正３】
【補正対象書類名】明細書
【補正対象項目名】００５１
【補正方法】変更
【補正の内容】
【００５１】
また、温かい巻きおしぼりＷを形成する場合、前記受皿兼用蓋１９上に排出された巻きおしぼりＷから湯気が放出されて上昇する。これは、連続モードで多くの巻きおしぼりを得る場合、顕著である。しかしながら、湿気に弱い前記第二操作部２２は、前述したように、受皿兼用蓋１９の直上ではなく、前記フレーム５の右側面の前上部に位置しており、更に、前記右パネル４の開口部４Ａが構成する前記凹部４Ｃ内に位置して前記右蓋体９５によって塞がれていることから、巻きおしぼりＷから放出されて上昇した湯気が前記第二操作部２２で結露して各種スイッチや摘みを濡らすことがなく、これらのスイッチ類を故障させないようにすることができる。なお、前記受皿兼用蓋１９の直上に位置する前記第一操作部１０は、この第一操作部１０を構成する前記設定ボタン１２，１３及び表示手段１４，１５，１６の表面が防水シートで覆われていることで防滴構造となっていると共に、前記供給ボタン１１の内側も防滴構造となっていることによって、全体として防滴構造になっている。このため、前記第一操作部１０の表面で巻きおしぼりＷから放出された湯気が結露したとしても、前記第一操作部１０に設けられたスイッチ類が故障したりすることがない。
【手続補正書】
【提出日】平成22年11月1日(2010.11.1)
【手続補正１】
【補正対象書類名】特許請求の範囲
【補正対象項目名】全文
【補正方法】変更
【補正の内容】
【特許請求の範囲】
【請求項１】
垂直に立設される軸部材の外周に、メダルセット板を昇降自在かつ前記軸部材を中心にして水平面内で回転移動可能に装着し、メダルを積み上げる水平面の上方に配置されたそのメダルセット板に、メダルを水平に嵌め込んでセットする複数の上下に貫通したセット孔を、メダルセット板の回転移動方向に等間隔で配列し、これらのセット孔にセットしたメダルを、下側に積まれるメダルの積み上げ位置と、上側に積まれるメダルの積み上げ位置を前記メダルセット板の回転移動方向にずらして前記水平面上に積み上げるようにしたメダル積み上げ器において、
前記メダルセット板のセット孔と同じ配列とされ、複数のメダルが積層されてストックされる複数の上下に貫通したストック孔を設けたメダルストッカを、前記メダルセット板の上側において、前記軸部材の外周に昇降自在かつ前記軸部材を中心にして水平面内で回転移動可能に装着し、このメダルストッカを回転移動させて前記ストック孔と前記メダルセット板のセット孔の位置を合致させ、その孔位置の合致点で、各ストック孔にストックされたメダルを、前記セット孔に落とし込んでセットするようにしたことを特徴とするメダル積み上げ器。
【請求項２】
前記メダルセット板が、各々が前記セット孔を有するセット孔数と同数の筒部を上下のフランジで連結して構成され、さらに、前記メダルストッカが、各々が前記ストック孔を有するストック孔数と同数の筒部を上下のフランジで連結して構成され、メダルセット板とメダルストッカの前記フランジは、前記セット孔、ストック孔の位相位置と位相の中間位置にそれぞれ角を有する正多角形をなす請求項１に記載のメダル積み上げ器。
【請求項３】
メダルが積み上げられる前記水平面を備えた持ち運び可能なトレイと、このトレイ上に積み上げられたメダルを、その積み上げ形態を保持した状態で所望の床面上に掃出す掃出し具をさらに備え、前記軸部材が前記トレイに設けられた貫通穴に抜き取り可能に通された請求項１又は２に記載のメダル積み上げ器。
【手続補正２】
【補正対象書類名】明細書
【補正対象項目名】０００７
【補正方法】変更
【補正の内容】
【０００７】
上記の課題を解決するために、本発明は、垂直に立設される軸部材の外周に、メダルセット板を昇降自在かつ前記軸部材を中心にして水平面内で回転移動可能に装着し、メダルを積み上げる水平面の上方に配置されたそのメダルセット板に、メダルを水平に嵌め込んでセットする複数の上下に貫通したセット孔を、メダルセット板の回転移動方向に等間隔で配列し、これらのセット孔にセットしたメダルを、下側に積まれるメダルの積み上げ位置と、上側に積まれるメダルの積み上げ位置を前記メダルセット板の回転移動方向にずらして前記水平面上に積み上げるようにしたメダル積み上げ器において、前記メダルセット板のセット孔と同じ配列とされ、複数のメダルが積層されてストックされる複数の上下に貫通したストック孔を設けたメダルストッカを、前記メダルセット板の上側において、前記軸部材の外周に昇降自在かつ前記軸部材を中心にして水平面内で回転移動可能に装着し、このメダルストッカを回転移動させて前記ストック孔と前記メダルセット板のセット孔の位置を合致させ、その孔位置の合致点で、各ストック孔にストックされたメダルを、前記セット孔に落とし込んでセットする構成を採用した。
【手続補正３】
【補正対象書類名】明細書
【補正対象項目名】０００８
【補正方法】変更
【補正の内容】
【０００８】
すなわち、メダルセット板のセット孔と同じ配列とされ、複数のメダルが積層されてストックされる複数のストック孔を設けたメダルストッカを、メダルセット板の上側において、軸部材の外周に昇降自在かつ軸部材を中心にして水平面内で回転移動可能に装着し、このメダルストッカを回転移動させて、前記ストック孔とメダルセット板のセット孔の位置を合致させ、その孔位置の合致点で、各ストック孔にストックされたメダルを、セット孔に落とし込んでセットすることにより、メダルを１回毎にメダルセット板のセット孔に嵌め込んでセットする手間をなくし、メダル積み上げ枚数が多くても、メダルディスプレイを迅速に行えるようにした。
【手続補正４】
【補正対象書類名】明細書
【補正対象項目名】００１０
【補正方法】変更
【補正の内容】
【００１０】
また、本発明は、上記の構成要素に加えてさらにメダルが積み上げられる前記水平面を備えた持ち運び可能なトレイと、このトレイ上に積み上げられたメダルを、その積み上げ形態を保持した状態で所望の床面上に掃出す掃出し具を備えさせ、前記軸部材を前記トレイに設けられた貫通穴に抜き取り可能に通す構成も採用した。
【手続補正５】
【補正対象書類名】明細書
【補正対象項目名】００１１
【補正方法】変更
【補正の内容】
【００１１】
すなわち、メダルが積み上げられる水平面を備えた持ち運び可能なトレイと、このトレイ上に積み上げられたメダルを、その積み上げ形態を保持した状態で所望の床面上に掃出す掃出し具とを設けることにより、メダルディスプレイが行われる床面とは別の場所でメダルを所定の配列パターンでトレイ上に積み上げ、このメダルを積み上げたトレイを持ち運んで、掃出し具で積み上げたメダルを所望の床面上に掃出すことを可能となして、床面数が多くても、メダルディスプレイをより迅速に行えるようにした。
【手続補正６】
【補正対象書類名】明細書
【補正対象項目名】００１３
【補正方法】削除
【補正の内容】
【手続補正７】
【補正対象書類名】明細書
【補正対象項目名】００１５
【補正方法】変更
【補正の内容】
【００１５】
本発明のメダル積み上げ器は、メダルセット板のセット孔と同じ配列とされ、複数のメダルが積層されてストックされる複数のストック孔を設けたメダルストッカを、メダルセット板の上側において、軸部材の外周に昇降自在かつ軸部材を中心にして水平面内で回転移動可能に装着し、このメダルストッカを回転移動させて、前記ストック孔とメダルセット板のセット孔の位置を合致させ、その孔位置の合致点で、各ストック孔にストックされたメダルを、セット孔に落とし込んでセットするようにしたので、メダルを１回毎にメダルセット板のセット孔に嵌め込んでセットする手間をなくし、メダル積み上げ枚数が多くても、メダルディスプレイを迅速に行うことができる。
【手続補正８】
【補正対象書類名】明細書
【補正対象項目名】００１７
【補正方法】変更
【補正の内容】
【００１７】
また、メダルが積み上げられる前記水平面を備えた持ち運び可能なトレイと、このトレイ上に積み上げられたメダルを、その積み上げ形態を保持した状態で所望の床面上に掃出す掃出し具をさらに備え、前記軸部材が前記トレイに設けられた貫通穴に抜き取り可能に通されたものは、メダルディスプレイが行われる床面とは別の場所でメダルを所定の配列パターンでトレイ上に積み上げ、このメダルを積み上げたトレイを持ち運んで、掃出し具で積み上げたメダルを所望の床面上に掃出すことができ、床面数が多くても、メダルディスプレイをより迅速に行うことができる。
【手続補正９】
【補正対象書類名】明細書
【補正対象項目名】００１９
【補正方法】削除
【補正の内容】
【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
前面に遊技領域を有する遊技盤と、
操作ハンドルの操作に対応して遊技媒体を発射する発射装置と、
該発射装置から発射された遊技媒体を前記遊技領域の左上部分に案内し、当該部分から前記遊技領域内へ遊技媒体を放出させる案内レールと、
前記遊技領域の略中央部分に配置され額縁状に形成された枠状装飾体と、
前記遊技領域内における前記枠状装飾体の左側を通る遊技媒体が流下可能な左遊技領域に配置され、遊技媒体が常時入賞可能な始動口と、
前記左遊技領域には、遊技媒体の進行方向を変化させる回転自在な風車、及び所定のゲージ配列をなした複数の障害釘を有し、前記風車に当接した遊技媒体を、前記複数の障害釘のうち前記始動口に向けて案内する第一のゲージ配列部、又は前記始動口に向けて案内しない第二のゲージ配列部のいずれかに振分可能とする左遊技媒体案内手段と、
前記遊技領域内における前記枠状装飾体の右側を通る遊技媒体が流下可能な右遊技領域を、下端にて前記左遊技領域と連通するかたちで前記左遊技領域よりも狭い領域とする遊技領域形成手段と、
前記右遊技領域の流下端に配置され、一対の可動片の開放時に遊技媒体が入賞可能な電動始動口と、
前記右遊技領域には、所定のゲージ配列をなした複数の障害釘を有し、前記右遊技領域を流下する遊技媒体を、前記複数の障害釘のうち前記電動始動口に向けて案内する第三のゲージ配列部に誘導可能とする右遊技媒体案内手段と、
前記右遊技領域における前記電動始動口の右側且つ前記電動始動口に進入し得ない下端に配置され、前記右遊技領域を流下した遊技媒体を排出させるアウト口と、
前記電動始動口及び前記アウト口の下部から下方に延出して形成され、前記電動始動口及び前記アウト口の下方の領域を通って遊技媒体が転動することを阻止する通過阻止部材と、
前記遊技領域の流下端且つ前記始動口の近傍に配置され、前記アウト口よりも広い開口部を有し、前記左遊技領域を流下しながらも前記始動口に入賞し得なかった遊技媒体、及び前記右遊技領域から前記左遊技領域に進入した遊技媒体を包括的に排出させる排出口と、
前記始動口または前記電動始動口に遊技媒体が入賞したことに基づいて大当り抽選を行う大当り抽選手段と、
前記右遊技領域内における前記枠状装飾体の右側または右下側に配置され、閉状態から開状態に変化させることで遊技媒体が入賞可能となる開閉入賞装置と、
前記大当り抽選手段の抽選結果が当りの場合には、前記開閉入賞装置の開閉動作を行うことで遊技者に利益を付与する利益付与手段と、
前記右遊技領域内における前記枠状装飾体の右側または右下側に配置され、遊技媒体が通過可能な通過口と、
該通過口に遊技媒体が通過したことに基づいて普通抽選を行う普通抽選手段と、
該普通抽選手段の抽選結果が当りの場合には、前記電動始動口における前記可動片を所定時間開放する開放制御手段と、
前記利益付与手段によって遊技者に前記利益を付与した後、前記電動始動口における前記可動片の開放頻度を高く設定した時短遊技状態とする時短状態設定手段と、を備え、
前記通過阻止部材には、前記利益付与手段による前記利益の付与時及び前記時短遊技状態設定手段による前記時短遊技状態の設定時に、前記右遊技領域に向けて遊技媒体を発射することが好ましい旨を表示する右打ち表示器が取付けられていることを特徴とする遊技機。
【請求項２】
前記大当り抽選手段の抽選結果を示す特別図柄が表示される特別図柄表示器と、
前記大当り抽選手段の抽選結果に対応した前記特別図柄の停止図柄を決定する表示態様決定手段と、
前記始動口または前記電動始動口に遊技媒体が入賞したことに基づいて前記特別図柄を変動させるとともに、前記表示態様決定手段によって決定された停止図柄で前記特別図柄の変動を停止させる特別図柄変動制御手段と、をさらに備え、
前記通過阻止部材には、前記特別図柄表示器が取付けられていることを特徴とする請求項１記載の遊技機。
【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
前面に遊技領域を有する遊技盤と、
操作ハンドルの操作に対応して遊技媒体を発射する発射装置と、
該発射装置から発射された遊技媒体を前記遊技領域の左上部分に案内し、当該部分から前記遊技領域内へ遊技媒体を放出させる案内レールと、
前記遊技領域の略中央部分に配置され額縁状に形成された枠状装飾体と、
前記遊技領域内における前記枠状装飾体の左側を通る遊技媒体が流下可能な左遊技領域に配置され、遊技媒体が常時入賞可能な始動口と、
前記左遊技領域には、遊技媒体の進行方向を変化させる回転自在な風車、及び所定のゲージ配列をなした複数の障害釘を有し、前記風車に当接した遊技媒体を、前記複数の障害釘のうち前記始動口に向けて案内する第一のゲージ配列部、又は前記始動口に向けて案内しない第二のゲージ配列部のいずれかに振分可能とする左遊技媒体案内手段と、
前記遊技領域内における前記枠状装飾体の右側を通る遊技媒体が流下可能な右遊技領域を、下端にて前記左遊技領域と連通するかたちで前記左遊技領域よりも狭い領域とする遊技領域形成手段と、
前記右遊技領域の流下端に配置され、一対の可動片の開放時に遊技媒体が入賞可能な電動始動口と、
前記右遊技領域には、所定のゲージ配列をなした複数の障害釘を有し、前記右遊技領域を流下する遊技媒体を、前記複数の障害釘のうち前記電動始動口に向けて案内する第三のゲージ配列部に誘導可能とする右遊技媒体案内手段と、
前記右遊技領域における前記電動始動口の右側且つ前記電動始動口に進入し得ない下端に配置され、前記右遊技領域を流下した遊技媒体を排出させるアウト口と、
前記枠状装飾体と前記電動始動口との間には、前記左遊技領域に連通するかたちで前記右遊技領域から進入した遊技媒体が流下可能な空間部が形成されており、
前記枠状装飾体の一部として少なくとも前記電動始動口の上方から上端左方にかけて湾曲した壁形状で前記左遊技領域における前記始動口の上方の領域への遊技媒体の進入を阻害する阻害部材と、
前記電動始動口の左側面から前記遊技領域の流下端にかけて延出した壁形状で前記左遊技領域を流下しながらも前記始動口に入賞し得なかった遊技媒体、及び前記空間部を通じて前記右遊技領域から前記左遊技領域に進入した遊技媒体を前記遊技領域の流下端に誘導する誘導部材と、
前記遊技領域の流下端且つ前記始動口の近傍に配置され、前記アウト口よりも広い開口部を有し、前記左遊技領域を流下しながらも前記始動口に入賞し得なかった遊技媒体、及び前記空間部を通じて前記右遊技領域から前記左遊技領域に進入した遊技媒体を包括的に排出させる排出口と、
前記始動口または前記電動始動口に遊技媒体が入賞したことに基づいて大当り抽選を行う大当り抽選手段と、
前記右遊技領域内における前記枠状装飾体の右側または右下側に配置され、閉状態から開状態に変化させることで遊技媒体が入賞可能となる開閉入賞装置と、
前記大当り抽選手段の抽選結果が当りの場合には、前記開閉入賞装置の開閉動作を行うことで遊技者に利益を付与する利益付与手段と、
前記右遊技領域内における前記枠状装飾体の右側または右下側に配置され、遊技媒体が通過可能な通過口と、
該通過口に遊技媒体が通過したことに基づいて普通抽選を行う普通抽選手段と、
該普通抽選手段の抽選結果が当りの場合には、前記電動始動口における前記可動片を所定時間開放する開放制御手段と、
前記利益付与手段によって遊技者に前記利益を付与した後、前記電動始動口における前記可動片の開放頻度を高く設定した時短遊技状態とする時短状態設定手段と、を備え、
前記大当り抽選手段は、前記電動始動口に遊技媒体が入賞したことに基づく前記大当り抽選の抽選結果が当りであるときに前記利益付与手段によって付与される遊技媒体数の期待値が、前記始動口に遊技媒体が入賞したことに基づく前記大当り抽選の抽選結果が当りであるときに前記利益付与手段によって付与される遊技媒体数の期待値よりも高くなるように、前記大当り抽選が行われるものであることを特徴とする遊技機。
【請求項２】
前記左遊技領域における前記始動口と前記電動始動口との間に配置され、前記空間部から前記始動口の上方の領域への遊技媒体の流動を阻止する障害釘をさらに備えることを特徴とする請求項１記載の遊技機。
【請求項３】
前記可動片の開放時に前記右遊技領域から進入した遊技媒体を、前記電動始動口に入賞させる場合と、前記左遊技領域に受け流す場合と、のいずれかに振分ける電動始動口振分手段をさらに備えることを特徴とする請求項１または請求項２に記載の遊技機。
【手続補正書】
【提出日】平成22年10月21日(2010.10.21)
【手続補正１】
【補正対象書類名】特許請求の範囲
【補正対象項目名】全文
【補正方法】変更
【補正の内容】
【特許請求の範囲】
【請求項１】
遊技者の操作によって遊技球が打ち込まれるとともに複数の障害釘が植設される遊技領域を前面側に有した透明樹脂からなる遊技パネルを正面側に備えた遊技演出ユニットと、
該遊技演出ユニットの正面視略中央に設けられるとともに、前記遊技パネルの背後にて所定の画像情報を表示可能な演出表示装置と、
前記遊技領域に設けられた複数種類の入賞口と、
遊技の進行を統括する主制御手段と、
該主制御手段からの演出指令情報を受信して前記遊技演出ユニット及び前記演出表示装置の制御を統括する副制御手段と、を備え、
前記複数種類の入賞口のうち始動入賞口に遊技球が入球したことに基づいて遊技者に所定の利益を付与する利益付与状態に制御するか否かを判定し、利益付与状態に制御すると判定された場合には前記利益付与状態に制御される遊技機において、
前記遊技演出ユニットは、
前記遊技パネルの後方であって前記演出表示装置の外周外側に設けられるとともに前記遊技領域に対して当該演出表示装置と重複しない位置で略全域に亘って遊技者に発光態様を視認可能に発光装飾制御される発光手段を有し、
前記主制御手段は、
前記始動入賞口への遊技球の入球を検出する入球検出手段と、
該入球検出手段による前記始動入賞口への遊技球の入球を検出したことに応じて、前記利益付与状態に制御するか否かの判定を行う当落判定処理を実行する抽選手段と、
該抽選手段による前記当落判定処理の判定結果を示す前記演出指令情報を送信する演出指令情報送信手段と、を備え、
前記副制御手段は、前記演出指令情報送信手段から前記演出指令情報のうち特定の演出指令情報を受信したことに基づいて前記遊技領域を複数の情報表示領域として分割区分し、前記演出表示装置及び前記発光手段のうち、前記複数の情報表示領域のいずれかとの重複部分を選択表示する選択装飾態様で制御する特殊盤面演出を実行する特殊盤面演出実行手段を備えることを特徴とする遊技機。
【請求項２】
前記特殊盤面演出実行手段は、前記複数の情報表示領域それぞれに前記演出表示装置と前記発光手段との両方を含むように前記遊技領域を分割区分することを特徴とする請求項１記載の遊技機。
【請求項３】
前記演出表示装置は、前記発光手段に対して遊技機後方に配置されることを特徴とする請求項１又は請求項２に記載の遊技機。
【手続補正書】
【提出日】平成22年10月21日(2010.10.21)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射手段から発射された遊技球が打ち込まれる遊技領域と、
該遊技領域に設けられた複数種類の入賞口と、
該複数種類の入賞口のうち始動入賞口に遊技球が入球したことに基づいて遊技者に所定の利益を付与する利益付与状態に制御するか否かを判定する利益付与判定手段と、
前記遊技領域に臨むように設けられ、前記利益付与判定手段による判定がなされたことに基づいて複数種類の図柄情報を変動表示して所定の表示結果を導出表示する表示手段と、
該表示手段を表示制御する表示制御手段と、
前記遊技領域に設けられ、遊技球を受け入れ可能な開放状態と遊技球を受け入れ困難な閉塞状態とに変化可能な大入賞口開閉手段と、を備え、
前記利益付与判定手段により前記利益付与状態に制御すると判定されたことに基づいて前記表示制御手段により前記表示手段に特定表示結果を導出表示し、前記大入賞口開閉手段を前記開放状態に変化させて前記利益付与状態に制御する遊技機であって、
前記表示手段の外周外側の前記遊技領域全域に亘るように設けられた複数の発光装飾部材と、
該発光装飾部材を発光制御する発光装飾制御手段と、を備え、
前記表示制御手段は、
前記表示手段にて前記複数種類の図柄情報を変動表示する変動表示制御手段と、
複数の区画線によって区画される複数の情報表示領域のいずれかを選択表示する選択表示態様と選択表示しない非選択表示態様とで表示制御する領域選択表示制御手段と、を備え、
前記発光装飾制御手段は、
前記変動表示制御手段による前記複数種類の図柄情報の変動表示時に、前記複数の発光装飾部材各々を所定の発光態様で発光制御する個別発光装飾制御手段と、
前記領域選択表示制御手段による前記情報表示領域の表示制御時に、前記複数の情報表示領域を区画した区画線と同じ複数の区画線で区画される複数の拡張区画領域のうちいずれかの拡張区画領域に配置される複数の発光装飾部材を一群発光装飾部材として選択表示する選択発光態様と選択表示しない非選択発光態様とで発光制御する一群発光装飾制御手段と、を備えることを特徴とする遊技機。
【請求項２】
前記複数の区画線は、前記表示手段の中心から放射状に広がり、
前記一群発光装飾制御手段は、前記複数の区画線のうち隣接する二本の区画線によって前記表示手段の外周内側に区画される情報表示領域と当該二本の区画線によって前記表示手段の外周外側に区画される拡張区画領域とのうち前記選択表示態様で表示制御される情報表示領域と同じ二本の区画線によって前記表示手段の外周外側に区画される拡張区画領域に配置する一群発光装飾部材を前記選択発光態様で発光制御し、前記非選択表示態様で表示制御される情報表示領域と同じ二本の区画線によって前記表示手段の外周外側に区画される拡張区画領域に配置する一群発光装飾部材各々を前記非選択発光態様で発光制御することを特徴とする請求項１記載の遊技機。
【請求項３】
前記一群発光装飾部材各々は、前記一群発光装飾制御手段による前記選択発光態様での発光制御を前記拡張区画領域の全域に亘って表示可能な複数の発光装飾部材によって構成されることを特徴とする請求項１又は請求項２に記載の遊技機。
【手続補正書】
【提出日】平成22年10月21日(2010.10.21)
【手続補正１】
【補正対象書類名】特許請求の範囲
【補正対象項目名】全文
【補正方法】変更
【補正の内容】
【特許請求の範囲】
【請求項１】
背部を視認可能な透明部材によって形成される遊技板と、
該遊技板の前面に形成され、発射手段から発射された遊技球が打ち込まれる遊技領域と、
該遊技領域に設けられた複数種類の入賞口と、
該複数種類の入賞口のうち始動入賞口に遊技球が入球したことに基づいて遊技者に所定の利益を付与する利益付与状態に制御するか否かを判定する利益付与判定手段と、
前記遊技板の後面側に視認可能に設けられ、前記利益付与判定手段による判定がなされたことに基づいて複数種類の図柄情報を変動表示して所定の表示結果を導出表示する表示手段と、
該表示手段を表示制御する表示制御手段と、
前記遊技領域に設けられ、遊技球を受け入れ可能な開放状態と遊技球を受け入れ困難な閉塞状態とに変化可能な大入賞口開閉手段と、を備え、
前記利益付与判定手段により前記利益付与状態に制御すると判定されたことに基づいて前記表示制御手段により前記表示手段に特定表示結果を導出表示し、前記大入賞口開閉手段を前記開放状態に変化させて前記利益付与状態に制御する遊技機であって、
前記遊技板の後面側に前記表示手段よりも前記遊技板に近接して設けられ、前記遊技領域を透過して前記表示手段の外周外側の前記遊技領域全域に亘って視認可能に配置される複数の発光装飾部材と、
該発光装飾部材を発光制御する発光装飾制御手段と、
前記利益付与判定手段による判定がなされたことに基づき、当該利益付与判定手段の判定結果に応じて複数の区画線によって区画される前記表示手段と前記複数の発光装飾部材とを含む複数の遊技領域のうちいずれかを選択表示するか否かを判定する領域選択表示判定手段と、を備え、
前記表示制御手段は、前記領域選択表示判定手段によって前記選択表示すると判定されたことに基づいて前記複数の区画線によって区画される前記表示手段の複数の情報表示領域のうち前記利益付与判定手段の判定結果に応じた情報表示領域を選択表示する選択表示態様で表示制御し、
前記発光装飾制御手段は、前記複数の区画線によって区画される前記表示手段の外周外側の複数の拡張区画領域のうち前記選択表示態様で表示制御される情報表示領域と同じ遊技領域に対応する拡張区画領域に配置される所定数の発光装飾部材を一群発光装飾部材として選択表示する選択発光態様で発光制御することを特徴とする遊技機。
【請求項２】
前記一群発光装飾部材各々は、前記選択発光態様での発光制御を前記拡張区画領域の全域に亘って表示可能に配設されることを特徴とする請求項１記載の遊技機。
【請求項３】
前記複数の区画線は、前記表示手段の中心から放射状に広がるように設定されることを特徴とする請求項１又は請求項２に記載の遊技機。
【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
前面に遊技領域を有する遊技盤と、
前記遊技領域内に配置され遊技媒体が入賞可能な複数の始動口と、
該複数の始動口のうち第一始動口に遊技媒体が入賞したことを検出する第一入賞状態検出手段と、
前記複数の始動口のうち前記第一始動口よりも遊技者が有利となり得る第二始動口に遊技媒体が入賞したことを検出する第二入賞状態検出手段と、
閉状態から開状態に変化させることで遊技媒体が入賞可能となる開閉入賞装置と、
遊技の進行を制御する主制御手段と、
前記第二始動口の近傍に配置され、遊技の進行に関する遊技情報が表示される遊技情報表示器と、を備え、
前記遊技盤は、
前記遊技領域を表面に形成する平面板上の遊技パネルと、
該遊技パネルの背面側に取付けられ、前記主制御手段を備えるとともに、前記複数の始動口に入賞した遊技媒体を排出可能な排出通路を形成する入賞空間形成カバー体と、
前記遊技パネルの前面側に取付けられ、前記複数の始動口、前記第二入賞状態検出手段及び前記遊技情報表示器を備えるとともに、前記遊技パネルの空間部を通して前記複数の始動口に対応した排出通路に連通する入賞通路を形成する入球口ユニットと、から構成されており、
前記主制御手段は、
前記第一入賞状態検出手段または前記第二入賞状態検出手段による前記遊技媒体の検出に基づいて大当り抽選を行う大当り抽選手段と、
前記大当り抽選手段の抽選結果が当りの場合には、前記開閉入賞装置の開閉動作を行うことで遊技者に利益を付与する利益付与手段と、
少なくとも前記遊技情報の一部として前記大当り抽選手段の抽選結果を前記遊技情報表示器に表示する遊技情報表示制御手段と、を備え、
前記第二入賞状態検出手段から前記主制御手段に検出信号を入力する配線は、前記主制御手段から前記遊技情報表示器に駆動信号を出力する配線と一括して集約されていることを特徴とする遊技機。
【請求項２】
前記第二始動口は、駆動手段によって一対の可動片の開放時に遊技媒体が入賞可能なものであり、
前記遊技領域に配置され遊技媒体が通過可能な通過口と、
該通過ゲートに遊技媒体が通過したことを検出する通過検出手段と、を備え、
前記主制御手段は、
前記通過検出手段による前記遊技媒体の検出に基づいて普通抽選を行う普通抽選手段と、
該普通抽選手段の抽選結果が当りの場合には、前記駆動手段によって前記可動片を所定時間開放する開放制御手段と、
前記利益付与手段によって遊技者に前記利益を付与した後、前記可動片の開放頻度を高く設定した時短遊技状態とする時短状態設定手段と、を備え、
前記主制御手段から前記駆動手段に駆動信号を出力する配線は、前記第二入賞状態検出手段から前記主制御手段に検出信号を入力する配線と一括して集約されていることを特徴とする請求項１記載の遊技機。
【請求項３】
前記大当り抽選手段は、前記第二入賞状態検出手段による前記遊技媒体の検出に基づく前記大当り抽選の抽選結果が当りであるときに前記利益付与手段によって付与される遊技媒体数の期待値が、前記第一入賞状態検出手段による前記遊技媒体の検出に基づく前記大当り抽選の抽選結果が当りであるときに前記利益付与手段によって付与される遊技媒体数の期待値よりも高くなるように、前記大当り抽選が行われるものであることを特徴とする請求項１または請求項２に記載の遊技機。
【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
前面に遊技領域を有する遊技盤と、
前記遊技領域内に配置され遊技媒体が入賞可能な複数の始動口と、
該複数の始動口のうち第一始動口に遊技媒体が入賞したことを検出する第一入賞状態検出手段と、
前記複数の始動口のうち第二始動口に遊技媒体が入賞したことを検出する第二入賞状態検出手段と、
前記第一入賞状態検出手段または前記第二入賞状態検出手段による前記遊技媒体の検出に基づいて大当り抽選を行う大当り抽選手段と、
閉状態から開状態に変化させることで遊技媒体が入賞可能となる開閉入賞装置と、
前記大当り抽選手段の抽選結果が当りの場合には、前記開閉入賞装置の開閉動作を行うことで遊技者に利益を付与する利益付与手段と、を備え、
前記大当り抽選手段は、前記第二入賞状態検出手段による前記遊技媒体の検出に基づく前記大当り抽選の抽選結果が当りであるときに前記利益付与手段によって付与される遊技媒体数の期待値が、前記第一入賞状態検出手段による前記遊技媒体の検出に基づく前記大当り抽選の抽選結果が当りであるときに前記利益付与手段によって付与される遊技媒体数の期待値よりも高くなるように、前記大当り抽選が行われるものであり、
前記第二入賞状態検出手段は、前記第二始動口に遊技媒体が入賞してからの距離が、前記第一始動口に遊技媒体が入賞してから前記第一入賞状態検出手段に前記遊技媒体の検出がなされるまでの距離よりも近くなるように配置されていることを特徴とする遊技機。
【請求項２】
前記遊技盤は、
前記遊技領域を表面に形成する平面板上の遊技パネルと、
該遊技パネルの背面側に取付けられ、前記複数の始動口に入賞した遊技媒体を排出可能な排出通路を形成する入賞空間形成カバー体と、
前記遊技パネルの前面側に取付けられ、前記複数の始動口を備えるとともに、前記遊技パネルの空間部を通して前記複数の始動口に対応した排出通路に連通する入賞通路を形成する入球口ユニットと、から構成されており、
前記第一入賞状態検出手段は、前記入賞空間形成カバー体側の前記第一始動口に対応した排出通路に取付けられる一方、
前記第二入賞状態検出手段は、前記入球口ユニット側の前記第二始動口に対応した入賞通路に取付けられることを特徴とする請求項１記載の遊技機。
【請求項３】
前記入賞空間形成カバー体に取付けられ、前記大当り抽選手段および前記利益付与手段を含み、遊技の進行を制御する主制御手段と、
前記入球口ユニットに取付けられ、前記大当り抽選手段の抽選結果を示す特別図柄が表示される特別図柄表示器と、を備え、
前記主制御手段は、
前記大当り抽選手段の抽選結果に対応した前記特別図柄の停止図柄を決定する表示態様決定手段と、
前記第一入賞状態検出手段または前記第二入賞状態検出手段による前記遊技媒体の検出に基づいて前記特別図柄を変動させるとともに、前記表示態様決定手段によって決定された停止図柄で前記特別図柄の変動を停止させる特別図柄変動制御手段と、を備え、
前記特別図柄表示器は、前記第二始動口の近傍に配置され、
前記第二入賞状態検出手段から前記主制御手段に検出信号を入力する配線は、前記主制御手段から前記特別図柄表示器に駆動信号を出力する配線と一括して集約されていることを特徴とする請求項１または請求項２に記載の遊技機。
【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
前面に遊技領域を有する遊技盤と、
操作ハンドルの操作に対応して遊技媒体を発射する発射装置と、
該発射装置から発射された遊技媒体を前記遊技領域の左上部分に案内し、当該部分から前記遊技領域内へ遊技媒体を放出させる案内レールと、
前記遊技領域の略中央部分に配置され額縁状に形成された枠状装飾体と、
遊技の進行に伴う遊技状態および抽選結果に関する演出画像を、少なくとも前記枠状装飾体の開口部を通じて視認可能に表示する演出表示装置と、
前記枠状装飾体の左外側に開口したワープ入口、及び前記枠状装飾体の左内側に開口したワープ出口を有し、前記ワープ入口及び前記ワープ出口を連通するワープ通路と、
前記枠状装飾体の下縁部における上面のうち左側且つ前記演出表示装置の前方に配置され、前記ワープ通路を通って前記枠状装飾体内に入球した遊技媒体を左右方向または斜め左右方向に転動させる転動面を備えたステージと、
前記遊技領域内における前記枠状装飾体の左側を通る遊技媒体が流下可能な左遊技領域のうち前記枠状装飾体の下側または左下側に配置され、遊技媒体が常時入賞可能であるとともに前記ステージを通過した遊技媒体が容易に入賞可能な始動口と、
前記左遊技領域には、遊技媒体の進行方向を変化させる回転自在な風車、及び所定のゲージ配列をなした複数の障害釘を有し、前記風車に当接した遊技媒体を、前記複数の障害釘のうち前記始動口に向けて案内する第一のゲージ配列部、又は前記始動口に向けて案内しない第二のゲージ配列部のいずれかに振分可能とする左遊技媒体案内手段と、
前記遊技領域内における前記枠状装飾体の右側を通る遊技媒体が流下可能な右遊技領域を、下端にて前記左遊技領域と連通するかたちで前記左遊技領域よりも狭い領域とする遊技領域形成手段と、
前記右遊技領域の流下端に配置され、一対の可動片の開放時に遊技媒体が入賞可能な電動始動口と、
前記右遊技領域には、所定のゲージ配列をなした複数の障害釘を有し、前記右遊技領域を流下する遊技媒体を、前記複数の障害釘のうち前記電動始動口に向けて案内する第三のゲージ配列部に誘導可能とする右遊技媒体案内手段と、
前記右遊技領域における前記電動始動口の右側且つ前記電動始動口に進入し得ない下端に配置され、前記右遊技領域を流下した遊技媒体を排出させるアウト口と、
前記遊技領域の流下端且つ前記始動口の近傍に配置され、前記アウト口よりも広い開口部を有し、前記左遊技領域を流下しながらも前記始動口に入賞し得なかった遊技媒体、及び前記右遊技領域から前記左遊技領域に進入した遊技媒体を包括的に排出させる排出口と、
前記始動口または前記電動始動口に遊技媒体が入賞したことに基づいて大当り抽選を行う大当り抽選手段と、
前記枠状装飾体の右外側に開口した大入賞口を有し、前記大入賞口を閉状態から開状態に変化させることで遊技媒体が入賞可能となる開閉入賞装置と、
前記大当り抽選手段の抽選結果が当りの場合には、前記開閉入賞装置の開閉動作を行うことで遊技者に利益を付与する利益付与手段と、
前記上面のうち右側且つ前記演出表示装置の前方に配置され、前記ステージにおける遊技媒体の転動と関連付けることなく前記開閉入賞装置に入賞した遊技媒体を用いた演出を行う演出装置と、
前記右遊技領域内における前記枠状装飾体の右側または右下側に配置され、遊技媒体が通過可能な通過口と、
該通過口に遊技媒体が通過したことに基づいて普通抽選を行う普通抽選手段と、
該普通抽選手段の抽選結果が当りの場合には、前記電動始動口における前記可動片を所定時間開放する開放制御手段と、
前記利益付与手段によって遊技者に前記利益を付与した後、前記電動始動口における前記可動片の開放頻度を高く設定した時短遊技状態とする時短状態設定手段と、を備えることを特徴とする遊技機。
【請求項２】
前記通過口は、前記枠状装飾体の右外側に開口した出入口を有することを特徴とする請求項１記載の遊技機。
【請求項３】
前記ステージは、後段側が前段側よりも高くなるように、前後方向に階段状に並設されたｎ個の転動面を有し、前記ワープ通路を通って前記枠状装飾体内に入球した遊技媒体を、最上段の第一転動面から最下段の第ｎ転動面に向かって順に転動させながら流下させることを特徴とする請求項１または請求項２に記載の遊技機。